(57)【要約】      （修正有）【課題】箸の使用中に何等かの理由で、箸が使用者の手指から放れて落下するのを手軽に防ぐことができる落下防止具付き箸を提供する。【解決手段】落下防止具本体２に親指カバー部３を設け、該親指カバー部３の一方の先端に左右二本の棒からなる箸一膳の左箸棒に装着する左箸装着部４を設け、同じく該親指カバー部の他方の先端に右箸棒に装着する右箸装着部５を設け、該左箸装着部及び該右箸装着部をそれぞれ該左箸棒６及び該右箸棒７の使用時に差し入れた親指と該親指カバー部が概ね十字交差する形状構成となる適宣位置に装着して、落下防止具本体と箸一膳を一体形成した。【選択図】図１
2016087367.tif 000002
【特許請求の範囲】
【請求項１】
落下防止具本体に親指カバー部を設け、該親指カバー部の一方の先端に左右二本の棒からなる箸一膳の左箸棒に装着する左箸装着部を設け、同じく該親指カバー部の他方の先端に右箸棒に装着する右箸装着部を設け、該左箸装着部及び該右箸装着部をそれぞれ該左箸棒及び該右箸棒の使用時に差し入れる親指と該親指カバー部が概ね十字交差する形状構成となる適宣位置に装着して、落下防止具本体と箸一膳を一体形成したことを特徴とする落下防止具付き箸。
【請求項２】
該左箸装着部に重なる形状構成で該親指カバー部の表面に該左箸棒及び該右箸棒を載置する適宣傾斜姿勢の置台を設けたことを特徴とする請求項１記載の落下防止具付き箸。
【発明の詳細な説明】
【技術分野】
【０００１】  本発明は、食事をする際に食物を挟み取るなどして口に運ぶ箸が、何等かの理由で誤って持っている手指から放れて落下するのを防ぐ落下防止具付き箸に関するものである。
【背景技術】
【０００２】  従来、食事をする際に食物を挟み取るなどして口に運ぶ箸は、二本の棒を一膳として利き腕の手指三本（親指、人差指、中指）で持って箸棒先で食物を挟み取るなどして口に運ぶ操作をする道具として古来より使われていた。
尚、箸に間隙形成体を取り付けることにより、箸の持ち方の矯正を目的とした器具の箸の持ち方矯正具が知られている（特許文献１参照）。
【先行技術文献】
【特許文献】
【０００３】
【特許文献１】  特開２００６−３２６２６１号広報
【発明の概要】
【発明が解決しようとする課題】
【０００４】  しかしながら、箸の操作が不慣れで未熟な外国人及び子供などは、箸を食事中に持っている手指から放して落下させてしまうことが多々生じていた。また、箸の操作に年季があって相当手馴れて上手な人達でも、何かの拍子に滑らせるなどして誤って箸が手指から放れて落下させてしまった経験が少なからずある。
この様に、箸の持ち方矯正具などを使用して、正しく箸を持つ、及び正しく箸を持つ訓練を重ねて、例え箸を正しく持てて上手に使えるようになったとしても、食事中に何等かの理由で持っている手指から箸が放れて落下するのを防ぐことは不可能だった。
本発明は、以上の問題点を解決するためになされたものである。
【課題を解決するための手段】
【０００５】  落下防止具本体に親指カバー部を設け、該親指カバー部の一方の先端に左右二本の棒からなる箸一膳の左箸棒に装着する左箸装着部を設け、同じく該親指カバー部の他方の先端に右箸棒に装着する右箸装着部を設け、該左箸装着部及び該右箸装着部をそれぞれ該左箸棒及び該右箸棒の使用時に差し入れる親指と該親指カバー部が概ね十字交差した形状構成となる適宣位置に装着して、落下防止具本体と箸一膳を一体形成したことを特徴とする落下防止具付き箸。
【発明の効果】
【０００６】  従来不可能とされていた食事中に何等かの理由で持っている手指から箸が放れて落下するのを防ぐことを、本発明は可能にし、箸を使うのが不慣れで未熟な外国人及び子供などは勿論、箸の使いに手馴れていて上手な人達を含めた老若男女が、持っている手指から箸を放して落下させる心配をしないで安心して食事を楽しめる。
本発明は、食事以外で箸を使う作業を行なう際にも効果を発揮できる。
【図面の簡単な説明】
【０００７】
【図１】本発明の斜視図
【図２】本発明の使用状態を示す斜視図
【図３】本発明の置台使用状態を示す斜視図
【発明を実施するための形態】
【０００８】  以下、本発明の実施の形態を説明する。
（イ）最初に、落下防止具付き箸（１）は、標準成人男性用（長さ２２・５ｃｍ位）であり、女性用及び子供用は大小の違いがあるのみで全てが同一形状構成である為に、この説明では省略する。
（ロ）落下防止具付き箸（１）の落下防止具本体（２）に柔軟材質の合成ゴムなどで幅１ｃｍ位、長さ７ｃｍ位の帯状の親指カバー部（３）を設ける。
（ハ）親指カバー部（３）の一方の先端に柔軟材質の合成ゴムなどで二本の棒からなる箸一膳（左箸棒６、右箸棒７）の左箸棒（６）に装着する脱着自在の左箸装着部（４）を設ける。
（ニ）親指カバー部（３）の他方の先端に同じく柔軟材質の合成ゴムなどで右箸棒（７）に装着する脱着自在の右箸装着部（５）を設ける。
（ホ）左箸装着部（４）に重なる形状構成で親指カバー部（３）の表面に幅１ｃｍ位、長さ２ｃｍ位で前高後低の高低差１５度位で傾斜姿勢形状の置台（８）を親指カバー部（３）と一体形状構成にて設ける。
（ヘ）次いで、落下防止具本体（２）の親指カバー部（３）に設けた左箸装着部（４）を左箸棒（６）に、左箸棒（６）の後端より９ｃｍ位先端に向かった適宣位置に脱着自在で装着し、同じく右箸装着部（５）を右箸棒（７）に、右箸棒（７）の後端より７ｃｍ位先端に向かった適宣位置に脱着自在で装着して、落下防止具付き箸（１）を使用する際に、差し入れた使用者の利き手の親指（Ｏ）と親指カバー部（３）が概ね十字交差した形状構成となるようにする。
（ト）図１にて示す。
（チ）尚、左箸装着部（４）及び右箸装着部（５）はそれぞれ左箸棒（６）及び右箸棒（７）に接着剤などで固定装着しても良い。
本発明は、以上のような構造である。
本発明を使用するときは、まず図３にて示す置台（８）に載置した落下防止具付き箸（１）を、従来の箸を使用する際と同様に利き手の指で摘まみ持ち上げた後、利き手外の指を添えて落下防止具付き箸（１）を持ち支えながら、落下防止具付き箸（１）を左箸棒（６）及び右箸棒（７）を並び揃えたままの状態を維持して半回転（左右何方でも可）させる。続いて箸を持つ利き手の親指（Ｏ）を、左箸棒（６）及び右箸棒（７）と親指カバー部（３）との間に生じている空間に中程まで差し入れて、親指（Ｏ）と親指カバー部（３）が概ね十字交差する形状構成とする。
次いで、添えていた利き手外の指を離して、図２にて示す様に、従来の箸を持つのと同様に落下防止具付き箸（１）を利き手の親指（Ｏ）と人差指（Ｈ）及び中指（Ｎ）で支え持ちながら、従来と全く同じ要領で落下防止具付き箸（１）を操作して食事などをする。
落下防止具付き箸（１）を使用している際に、例え滑るなど何等かの理由で落下防止具付き箸（１）が持っている手指から放れて落下しそうな事態が生じても、親指（Ｏ）が極めて垂直に近い状態になる、若しくは親指（Ｏ）を手前に引き抜くなどをしない限りは落下防止具付き箸（１）が持っている手指から放れて落下することはない。
また、落下防止具付き箸（１）を使用する際に、特別な技術やコツは必要としないので、従来の箸の操作が不慣れで未熟な外国人及び子供などは勿論、老若男女を問わず誰でもが気軽に箸の落下を心配しないで安心して楽しく清潔に食事を楽しめる。
そして、落下防止具付き箸（１）を使用して食事をしている途中での箸休め時、及び食事終了時には、前記とは逆に落下防止具付き箸（１）の左箸棒（６）及び右箸棒を並び揃えた状態を維持しながら半回転（左右何方でも可）させて置台（８）を落下防止具付き箸（１）の真下位置にセットした後、図３にて示す様に置台（８）に落下防止具付き箸（１）の左箸棒（６）及び右箸棒（７）をそれぞれ載置する。
更に図３にて示す様に、置台（８）に載置した落下防止具付き箸（１）の左箸棒（６）及び右箸棒（７）の姿勢は必然的に、先端部を最高度（高さ１５ｍｍ位）浮いた状態として最低度の後端部付近へ緩やかな傾斜姿勢となり、落下防止具付き箸（１）は、後部位を除く他の部位がテーブルなどに当接しないので衛生面でも貢献する。
【符号の説明】１落下防止具付き箸、２落下防止具本体、３親指カバー部、４左箸装着部、５右箸装着部、６左箸棒、７右箸棒、８置台、Ｏ親指、Ｈ人差指、Ｎ中指
【図１】
2016087367.tif 000003
【図２】
2016087367.tif 000004
【図３】
2016087367.tif 000005